(57)【要約】【課題】  本発明は、簡単に角度を変更することができ、コンパクトに構成された角度調整機構を備えた照明器具を提供することを目的とする。【解決手段】  本実施例の照明器具１は、ネオン管５とそのネオン管５に電力を供給するトランスとを一体に構成した照明器具１を筐体３０に内蔵し、壁面等に設置して使用する照明器具１であって、筐体３０の底面には、角度が変更可能なアングル６０が設けられているため、照明器具１の筐体３０の角度を変えて設置できるので、所望する方向に照明を照らすことができる。【選択図】 図７
2009193827.tif 000002
【特許請求の範囲】
【請求項１】
ネオン管と当該ネオン管に電力を供給するトランスとを一体に構成したユニットを箱状の筐体に内蔵し、設置面に対して角度を変更することができる角度調整機構を備えた照明器具であって、
前記角度調整機構は、設置面に対して前記照明器具を固定する土台と、支軸を介して前記土台に連結され、前記筐体を保持する受け台と、角度を複数に選択することができる複数の孔により形成された嵌合孔と、当該嵌合孔に嵌合する嵌合手段と、前記嵌合孔に前記当該嵌合手段を嵌合する方向に付勢する付勢手段と、当該付勢手段の付勢に抗じて前記嵌合手段の嵌合を解除する操作部と、を設け、
当該操作部を操作し前記嵌合手段と前記嵌合孔との嵌合を解除することによって、回動移動の規制を解除し、前記支軸を中心として前記受け台を回動移動させる角度調整機構を備えたことを特徴とする照明器具。
【請求項２】
前記嵌合孔は、前記孔の一部を連通した溝状の溝と、各前記孔の間に前記溝の方向に突出した突起手段と、を設け、
前記嵌合手段に凹状に前記突起手段の寸法より大きく欠き切った凹部を設け、
前記操作部を操作し前記凹部が前記突起手段の位置と交わるとき、前記嵌合手段と前記嵌合孔との嵌合が解除され、前記受け台を回動移動させる角度調整機構を備えたことを特徴とする請求項１に記載の照明器具。
【発明の詳細な説明】
【技術分野】
【０００１】
本発明は、ネオン管とネオン管に電力を供給するトランスとを一体に構成し壁面等に掛けて使用する照明器具に関するものである。
【背景技術】
【０００２】
従来から、ネオン管とネオン管に電力を供給するトランスとを一体に構成し壁面等に掛けて使用する照明器具が様々に考えられてきた。
例えば、特許文献１には、ケース本体の表側からの見栄えを向上させることができるネオン管組込ユニットを提供することを目的として、壁面に上下２段に重ねて設置しても、
ケース本体から導出した電線を段部側面と段部裏面とがなす空間に配置することができるため、導出した電線の大部分をケース本体の表側から見えないように配置することが可能となる構造が開示されている。
特許文献２には、照明器具が筐体の側端に延びた片に設けられた穴を通してビスで壁面に固定して設置される構造が開示されている。
【０００３】
【特許文献１】特開２００６−０６６２１３号公報（図３及び図７）
【特許文献２】特開２００７−０８７９２０号公報（図２）
【発明の開示】
【発明が解決しようとする課題】
【０００４】
近年、室内だけでなく室外でも直接光を照らすのではなく、間接的に照明を照らして演出するように照明も装飾照明としての使用が多くなされるようになってきた。その場合には、間接照明として照らす方法は様々に、照らす向きや角度など事細かく指定されることがある。また、照らす方向が定まっているためできる限り集光した上で効率よく光を与えることが要望されてきている。
【０００５】
そのため、これら従来の構造では、壁面へ照明器具が直接固定されているために、方向を変えて照らすことができず、また、後から照射する方向を変えようとすれば、角度を変更するためのスペーサ等を角度に合わせて作成する作業が繁雑となるという問題もあった。
また、従来の照明器具では重量があるため角度調整機構をコンパクトに作成するのは困難であった。特に壁面に設置した場合には、自重が角度調整機構にかかりを強固に構成しなければならなくコンパクト化するのには困難な状況であった。
【０００６】
そこで、本発明は、簡単に角度を変更することができ、コンパクトに構成された角度調整機構を備えた照明器具を提供することを目的とする。
【課題を解決するための手段】
【０００７】
請求項１記載の照明器具（１）は、ネオン管（５）と当該ネオン管（５）に電力を供給するトランスとを一体に構成したユニットを箱状の筐体（３０）に内蔵し、設置面に対して角度を変更することができる角度調整機構（１０・６０）を備えた照明器具であって、前記角度調整機構（１０・６０）は、設置面に対して前記照明器具を固定する土台（１３・６３）と、支軸（１４・６４）を介して前記土台（１３・６３）に連結され、前記筐体（３０）を保持する受け台（２１・６１）と、角度を複数に選択することができる複数の孔により形成された嵌合孔（２０・７０）と、当該嵌合孔（２０・７０）に嵌合する嵌合手段（１９・６７）と、前記嵌合孔（２０・７０）に前記嵌合手段（１９・６７）を嵌合する方向に付勢する付勢手段（１６・６６）と、当該付勢手段（１６・６６）の付勢に抗じて前記嵌合手段（１９・６７）の嵌合を解除する操作部（１２・６２）と、を設け、当該操作部（１２・６２）を操作し前記嵌合手段（１９・６７）と前記嵌合孔（２０・７０）との嵌合を解除することによって、回動移動の規制を解除し、前記支軸（１４・６４）を中心として前記受け台（２１・６１）を回動移動させる角度調整機構（１０・６０）を備えたことを特徴とする。
【０００８】
以上の構成により、操作部を引くか押すかの簡単な操作により、回動移動の規制が解除されるので簡単に角度変更することができると共にコンパクトに構成することができる。
【０００９】
請求項２記載の照明器具（１）は、前記嵌合孔（７０）は、前記孔の一部を連通した溝状の溝と、各前記孔の間に前記溝の方向に突出した突起手段（７６）と、を設け、前記嵌合手段（６７）に凹状に前記突起手段の寸法より大きく欠き切った凹部（７２）を設け、前記操作部（６２）を操作し前記凹部（７２）が前記突起手段（７６）の位置と交わるとき、前記嵌合手段（６７）と前記嵌合孔（７０）との嵌合が解除され、前記受け台（６２）を回動移動させる角度調整機構（６０）を備えたことを特徴とする。  
【００１０】
以上の構成により、操作部を押すだけの簡単な操作により、回動移動の規制が解除されるので簡単に角度変更することができると共に、強固に嵌合する構造となるので外れにくくコンパクトに構成することもできる
【発明の効果】
【００１１】
照明器具の筐体が角度を変えて設置できるので、所望する方向に照明を照らすことができる。また、これら角度調整機構は操作が簡単であり、又コンパクトに構成することができる。
【発明を実施するための最良の形態】
【００１２】
以下に、本発明を実施するための最良の形態を図１に基づいて説明する。
図１は、照明器具１を載置し上方を照らしている状態を表した図である。
照明器具１は、一面を開口した箱状の筐体３０と、その開口を塞ぐように図示しない透過カバーと、筐体３０内部に設けられ把持具６によって把持され固定されるネオン管５とを設けている。筐体３０には、ネオン管に電力を供給する図示しないトランスが内蔵されている。筐体３０の裏面には、壁面等に固定され一定の距離を保ち、かつ角度が変更可能なアングル１０が設けられている。また、筐体３０の側面には、配線を止めるための配線止め８が設けられている。
【実施例１】
【００１３】
以下に本発明の実施例１を図２乃至図５に基づいて説明する。
図２は、実施例１における照明器具１を側面から見た左側面図であり、図３は、実施例１における照明器具１を側面から見た右側面図であり、図４は、実施例１における照明器具１の固定アングル１０の調整機構が固定されている状態を表す図であり、図５は、実施例１における照明器具１の固定アングル１０の調整機構が解放されている状態を表す図である。
【００１４】
固定アングル１０は、照明器具１の筐体３０を受けるために上方を開口したコ字状の受け台２１と、壁面や載置する地面等に対しボルトで固定するための土台１３とから構成されている。受け台２１と土台１３は、ボルトで構成された支軸１４により連結され、支軸を中心に受け台２１が回動することができる構造となっている
【００１５】
受け台２１は、図４に示すように上部をコ字状に形成された下端の両端には、角度調整片１１Ａと、支軸１４により土台１３に連結される角度調整片１１Ｂとを設けている。角度調整片１１Ａ，Ｂには孔が設けられており、その孔に操作部が貫通して挿入されている。操作部１２は円柱状に形成され、一端が折曲された取っ手となっており、他端には土台１３に設けられた嵌合孔２０と嵌合する突部１９が設けられている。突部１９から距離を離してＥリングで構成した抜け止め片２４が設けられ、抜け止め片２４は角度調整片１１Ａ，Ｂに設けられた孔や土台に設けられた嵌合孔２０より大きく形成されており、これらの孔から抜け出さないようになっている。
【００１６】
また、角度調整片１１Ａと角度調整片Ｂの間には、操作部１２に挿入されたバネ１６が設けられており、バネ１６はバネ固定片１７によってバネ固定片１７の位置から突部１９方向の移動を規制されている。
【００１７】
次に、土台１３は図４に示すように土台１３の下方は照明器具１を壁面や載置する地面等に対しボルトで固定するために水平方向に延設されている。また、土台１３に起立して設けられた起立片１５には、図３に示すように突部１９と嵌合する円状の嵌合孔２０が支軸１４を中心に弧状に７個配置されている。また、起立片１５は、角度調整片Ｂとの間で突部１９が嵌合孔２０から嵌合を解除できるだけの距離を離して設けられている。
【００１８】
（実施例１の角度調整機構）
図４及び図５に基づいて角度調整の作用を説明する。図４は、角度調整機構が固定されている状態を示している。角度調整機構は、操作部１２に挿入されているバネ１６の弾性力によって、操作部１２の突部１９が嵌合孔２０に嵌合する方向に付勢されており、角度調整が出来ない位置で固定されている。
次に、角度を調整する際には、図５に見られるようにバネの付勢に抗じて突部１９の嵌合が解除される位置まで操作部１２を移動させる。操作部１２を移動させることにより、支軸１４を中心に受け台２１を回動させることができるため、図３に見られるように所望する角度になるように嵌合孔２０を選択することができる。そして、所望する嵌合孔２０を選択し、角度を決めた後、操作部１２をバネ１６の弾性力に従い戻すことによって突部１９が嵌合孔２０に嵌合し、角度調整機構は回動できないように固定される。
【実施例２】
【００１９】
以下に本発明の実施例２を図６乃至図９に基づいて説明する。
図６は、実施例２における照明器具１の固定アングル６０が調整機構が固定されている状態を表す図であり、図７は、実施例２における照明器具１の固定アングル６０が調整機構が解放されている状態を表す図であり、図８（Ａ）は、実施例２における照明器具１の固定アングル６０が固定されている状態を表す固定アングルの断面図であり、図８（Ｂ）は、実施例２における照明器具１の固定アングル６０が解放されている状態を表す固定アングルの断面図であり、図９は、実施例２における照明器具１を側方から見た固定アングル６０の正面から見た図である。
【００２０】
固定アングル６０は、照明器具１の筐体３０を受けるために上方を開口したコ字状の受け台７１と、壁面や載置する地面等に対しボルトで固定するための土台６３とから構成されている。受け台７１と土台６３は、ボルトで構成された支軸６４により連結され、支軸を中心に受け台７１が回動することができる構造となっている
【００２１】
受け台７１は、図６に示すように上部をコ字状に形成され、コ字状の下端の一端には角度調整片６１が設けられている。図８に示すように角度調整片６１には孔が設けられており、その孔には操作部６２の一部である円柱状の胴体６７が、土台６５の嵌合孔７０まで貫通して挿入されている。
【００２２】
操作部６２は、円柱状の胴体６７の一端にＥリングで構成した抜け止め片２４が設けられ、抜け止め片２４は土台６３のの嵌合孔７０に設けられた孔やより大きく形成されており、これらの孔から抜け出さないようになっている。また、他端には軸受け７３の孔や軸受けとの間に挿入されたバネ６６の直径より大きな片が突出しており、バネ６６が抜け出ないようになっている。また、胴体６７の途中には、コ字状に欠ききった凹部７２が設けられている。
【００２３】
次に、土台６３は図６に示すように土台６３の下方は照明器具１を壁面や載置する地面等に対しボルトで固定するために水平方向に延設され、土台固定孔７５が穿設されている。また、土台６３に起立して設けられた起立片６５には、図９に示すように操作部６２の円柱６７と嵌合する円状の嵌合孔７０が支軸１４を中心に５個配置されており、円状の下端は凹部７２より僅かに大きな大きさでそれぞれ溝状に連通している。そして、突起７６は、操作部が自由に移動できないように規制するために、下方に向け突出して設けられている。
【００２４】
（実施例２の角度調整機構）
図８及び図９に基づいて角度調整の作用を説明する。図８（Ａ）は、角度調整機構が固定されている状態を示している。角度調整機構は、操作部６２に挿入されているバネ６６の弾性力によって、操作部１２の円柱状の胴体１９が土台６３に設けられた嵌合孔７０に嵌合する方向に付勢されており、突起７６により胴体１９が回動方向に移動できないように規制されているので、角度調整が出来ない位置で固定される。
【００２５】
次に、角度を調整する際には、図８（Ｂ）に見られるようにバネの付勢に抗じて胴体１６７の嵌合が解除される位置まで操作部６２を押して移動させる。操作部６２の胴体６７に設けられた凹部７２は、突起７６に規制されない大きさに欠ききられているため、胴体６７は嵌合穴７０内を回動方向に移動することができる。それに伴い、支軸１４を中心に受け台２１を回動させることができるため、図９に見られるように所望する角度になるように嵌合孔２０を選択することができる。
【００２６】
そして、所望する嵌合孔７０を選択し、角度を決めた後、操作部６２をバネ６６の弾性力に従い戻すことによって胴体突部１９が嵌合孔２０に嵌合し、角度調整機構は回動できないように固定される。
【００２７】
以上における本実施例から把握される効果を以下に詳述する。
（１）本実施形態の照明器具１は、角度が変更可能なアングル１０が設けられているため、照明器具１の角度を変えて設置できるので、所望する方向に照明を照らすことができる。また、照明器具１の設置後にもアングル１０を取り外すことなく再度所望する角度に簡単に変更ができる。
【００２８】
（２）本実施形態の照明器具１は、付勢手段により絶えず付勢する方向に嵌合手段１９・６７が付勢されているので、簡単に嵌合手段１９・６７が外れることもなく回動動作が規制されているので、角度が自重により変わる心配もない。
【００２９】
（３）本実施形態の照明器具１は、操作部１２・６２は、絶えず嵌合穴２０・７０に嵌合する状態で付勢されているため、操作部１２の取っ手を引っ張るか若しくは操作部６２の突出した片を押すだけで、簡単に嵌合の解除ができ、所望する角度に容易な操作で角度が変更可能である。また、角度調整機構をコンパクトに構成することが出来る。
【００３０】
（４）本実施形態の照明器具１は、嵌合穴７０に複数の孔を設け、当該孔の一部を連通して溝状に設け、嵌合孔７０は、各孔の間に溝方向に突出した突起７６を設け胴体６７に凹状に突起７６の寸法より大きく欠ききった凹部７２を設け、凹部７２が突起７６の位置と交わるとき、胴体６７と嵌合孔７０との嵌合が解除され、受け台６１を回動移動させる角度調整機構を備えたので、容易な操作で角度が変更可能であるとともに、強固な嵌合状態となり、嵌合が外れることはなく角度調整機構をコンパクトに構成することができる。
【００３１】
（５）本実施形態の照明器具１は、嵌合穴２０・７０を円状や円弧状に設け、また操作部１２・６２の突部１９と胴体６７を円柱状に設けたため、突部１９や胴体６７と、嵌合孔２０・７０との嵌合が解除が引っ掛かることなくスムーズに行われ、容易な操作で角度が変更可能であるとともに、角度調整機構をコンパクトに構成することができる。
【００３２】
（６）本実施形態の照明器具１は、嵌合穴７０に下部を連通させた溝を円弧状に設け、操作部６２の胴体１９を円柱状に設けているため、胴体６７が嵌合孔７０の溝に沿って回動移動することが出来るので引っ掛かることなくスムーズに移動が行われ、容易な操作で角度が変更可能であるとともに、強度を保ちながらも角度調整機構をコンパクトに構成することができる。
【００３３】
（７）本実施例の照明器具１は、反射板４に設けられた反射片６が、ネオン管５に向かって反射板４の長手方向に沿って折り曲げられているので、光を集光して効率よく一定方向にネオン管５の光を反射させることができる。
【００３４】
（８）本実施例の照明器具１は、アングル１０が壁面から一定距離離間して筐体３０を固定しているため、配線の設置工事がし易くなると共に、壁面に熱が伝わったり、照明器具１内に熱が籠もりやすくなることもない。また、角度調整もし易くなった。
【００３５】
（９）本実施例の照明器具１は、アングル１０が壁面への固定箇所を含め筐体３０の長手寸法内に納められているため、隙間無く横方向に連結して設置することができるようになった。そのため見栄えが良く設置することができるようになった。
【００３６】
（他の実施形態への変更例）
以上説明した実施形態を他の実施形態へ変更した例を以下に示す。
・弾性部材について渦巻きバネ１６・６６を使用したが、板バネやゴムやプラスチック等又は油圧機構等の付勢する機能を持っているものであればよい。
・本実施形態では、角度調整機構を２箇所に設けて説明したが、１箇所であっても良く、また長さや強度に合わせ３個以上設けるものであっても良い。
・本実施形態では、支軸１４・６４を下に設け、その上に嵌合孔２０・７０を設けたが、特に実施例に限定されることなく、例えば、図１０に示すように支軸１４・６４を上に設け、その下に嵌合孔２０・７０を設け、位置を上下逆となる構造であっても良い。嵌合孔２０・７０の位置を下にすることにより操作部１２・６２の操作がし易くなり、高さを取ることも出来る。受け台２１・６１に、付勢手段１６・６６を含む操作部１２・６２を記載して説明したが、他の実施例として土台１３・６３に付勢手段１６・６６を含む操作部１２・６２を設ける構造であって良い。角度調整機構は、実施例１及び２と同様の作用及び機構であり、同じ記号が付してあるので説明は省略する。
【図面の簡単な説明】
【００３７】
【図１】照明器具１を載置し上方を照らしている状態を表した図である。
【図２】実施例１における照明器具を側面から見た左側面図である。
【図３】実施例１における照明器具を側面から見た右側面図である。
【図４】実施例１における照明器具の固定アングルの角度調整機構の嵌合が固定されている状態を表す図である。
【図５】実施例１における照明器具の固定アングルの角度調整機構の嵌合が解放されている状態を表す図である。
【図６】実施例２における照明器具の固定アングルの角度調整機構の嵌合が固定されている状態を表す図である。
【図７】実施例２における照明器具の固定アングルの角度調整機構の嵌合が解放されている状態を表す図である。
【図８】（Ａ）実施例２における照明器具の固定アングルの角度調整機構の嵌合が固定されている状態を表す固定アングルの断面図である。（Ｂ）実施例２における照明器具１の固定アングルの角度調整機構の嵌合が解放されている状態を表す固定アングルの断面図である。
【図９】実施例２における照明器具を側方から見た固定アングルを表す図である。
【図１０】他の実施例における照明器具の固定アングルの角度調整機構の嵌合が固定されている状態を表す固定アングルの断面図である。
【図１０】（Ａ）実施例１における他の実施例における照明器具の固定アングルの角度調整機構の嵌合が固定されている状態を表す固定アングルの断面図である。（Ｂ）実施例２における他の実施例における照明器具の固定アングルの角度調整機構の嵌合が固定されている状態を表す固定アングルの断面図である。
【符号の説明】
【００３８】
１・・・照明器具、４・・・反射板、５・・・ネオン管、６・・・把持具、
７・・・ネオン管器具固定ビス、８・・・配線止め、９・・・ネオン管器具固定孔、
１０・６０・・・角度調整機構としての固定アングル、１１・６１・・・角度調整片、
１２・６２・・・操作部、１３・６３・・・土台、１４・６４・・・支軸、
１５・６５・・・起立片、１６・６６・・・付勢手段としてのバネ、
１７・・・バネ固定片、１８・６８・・・筐体固定孔、
１９・６９・・・嵌合手段としての突部、
２０・７０・・・嵌合孔、２１・７１・・・受け台、２４・７４・・・抜け止め片、
３０・・・筐体、
６７・・・嵌合手段としての胴体、７２・・・凹部、
７３・・・軸受け、７５・・・土台固定孔、７６・・・突起手段としての突起。
【図１】
2009193827.tif 000003
【図２】
2009193827.tif 000004
【図３】
2009193827.tif 000005
【図４】
2009193827.tif 000006
【図５】
2009193827.tif 000007
【図６】
2009193827.tif 000008
【図７】
2009193827.tif 000009
【図８】
2009193827.tif 000010
【図９】
2009193827.tif 000011
【図１０】
2009193827.tif 000012
【手続補正書】
【提出日】平成20年3月24日(2008.3.24)
【手続補正１】
【補正対象書類名】明細書
【補正対象項目名】全文
【補正方法】変更
【補正の内容】
【発明の詳細な説明】
【技術分野】
【０００１】
本発明は、ネオン管とネオン管に電力を供給するトランスとを一体に構成し壁面等に掛けて使用する照明器具に関するものである。
【背景技術】
【０００２】
従来から、ネオン管とネオン管に電力を供給するトランスとを一体に構成し壁面等に掛けて使用する照明器具が様々に考えられてきた。
例えば、特許文献１には、ケース本体の表側からの見栄えを向上させることができるネオン管組込ユニットを提供することを目的として、壁面に上下２段に重ねて設置しても、
ケース本体から導出した電線を段部側面と段部裏面とがなす空間に配置することができるため、導出した電線の大部分をケース本体の表側から見えないように配置することが可能となる構造が開示されている。
特許文献２には、照明器具が筐体の側端に延びた片に設けられた穴を通してビスで壁面に固定して設置される構造が開示されている。
【０００３】
【特許文献１】特開２００６−０６６２１３号公報（図３及び図７）
【特許文献２】特開２００７−０８７９２０号公報（図２）
【発明の開示】
【発明が解決しようとする課題】
【０００４】
近年、室内だけでなく室外でも直接光を照らすのではなく、間接的に照明を照らして演出するように照明も装飾照明としての使用が多くなされるようになってきた。その場合には、間接照明として照らす方法は様々に、照らす向きや角度など事細かく指定されることがある。また、照らす方向が定まっているためできる限り集光した上で効率よく光を与えることが要望されてきている。
【０００５】
そのため、これら従来の構造では、壁面へ照明器具が直接固定されているために、方向を変えて照らすことができず、また、後から照射する方向を変えようとすれば、角度を変更するためのスペーサ等を角度に合わせて作成する作業が繁雑となるという問題もあった。
また、従来の照明器具では重量があるため角度調整機構をコンパクトに作成するのは困難であった。特に壁面に設置した場合には、自重が角度調整機構にかかりを強固に構成しなければならなくコンパクト化するのには困難な状況であった。
【０００６】
そこで、本発明は、簡単に角度を変更することができ、コンパクトに構成された角度調整機構を備えた照明器具を提供することを目的とする。
【課題を解決するための手段】
【０００７】
請求項１記載の照明器具（１）は、ネオン管（５）と当該ネオン管（５）に電力を供給するトランスとを一体に構成したユニットを箱状の筐体（３０）に内蔵し、設置面に対して角度を変更することができる角度調整機構（１０・６０）を備えた照明器具であって、前記角度調整機構（１０・６０）は、設置面に対して前記照明器具を固定する土台（１３・６３）と、支軸（１４・６４）を介して前記土台（１３・６３）に連結され、前記筐体（３０）を保持する受け台（２１・６１）と、角度を複数に選択することができる複数の孔により形成された嵌合孔（２０・７０）と、当該嵌合孔（２０・７１）に嵌合する嵌合手段（１９・６７）と、前記嵌合孔（２０・７０）に前記嵌合手段（１９・６７）を嵌合する方向に付勢する付勢手段（１６・６６）と、当該付勢手段（１６・６６）の付勢に抗じて前記嵌合手段（１９・６７）の嵌合を解除する操作部（１２・６２）と、を設け、当該操作部（１２・６２）を操作し前記嵌合手段（１９・６７）と前記嵌合孔（２０・７０）との嵌合を解除することによって、回動移動の規制を解除し、前記支軸（１４・６４）を中心として前記受け台（２１・７１）を回動移動させる角度調整機構（１０・６０）を備えたことを特徴とする。
【０００８】
以上の構成により、操作部を引くか押すかの簡単な操作により、回動移動の規制が解除されるので簡単に角度変更することができると共にコンパクトに構成することができる。
【０００９】
請求項２記載の照明器具（１）は、前記嵌合孔（７０）は、前記孔の一部を連通した溝状の溝と、各前記孔の間に前記溝の方向に突出した突起手段（７６）と、を設け、前記嵌合手段（６７）に凹状に前記突起手段の寸法より大きく欠き切った凹部（７２）を設け、前記操作部（６２）を操作し前記凹部（７２）が前記突起手段（７６）の位置と交わるとき、前記嵌合手段（６７）と前記嵌合孔（７０）との嵌合が解除され、前記受け台（６２）を回動移動させる角度調整機構（６０）を備えたことを特徴とする。  
【００１０】
以上の構成により、操作部を押すだけの簡単な操作により、回動移動の規制が解除されるので簡単に角度変更することができると共に、強固に嵌合する構造となるので外れにくくコンパクトに構成することもできる
【発明の効果】
【００１１】
照明器具の筐体が角度を変えて設置できるので、所望する方向に照明を照らすことができる。また、これら角度調整機構は操作が簡単であり、又コンパクトに構成することができる。
【発明を実施するための最良の形態】
【００１２】
以下に、本発明を実施するための最良の形態を図１に基づいて説明する。
図１は、照明器具１を載置し上方を照らしている状態を表した図である。
照明器具１は、一面を開口した箱状の筐体３０と、その開口を塞ぐように図示しない透過カバーと、筐体３０内部に設けられ把持具６によって把持され固定されるネオン管５とを設けている。筐体３０には、ネオン管に電力を供給する図示しないトランスが内蔵されている。筐体３０の裏面には、壁面等に固定され一定の距離を保ち、かつ角度が変更可能なアングル１０が設けられている。また、筐体３０の側面には、配線を止めるための配線止め８が設けられている。
【実施例１】
【００１３】
以下に本発明の実施例１を図２乃至図５に基づいて説明する。
図２は、実施例１における照明器具１を側面から見た左側面図であり、図３は、実施例１における照明器具１を側面から見た右側面図であり、図４は、実施例１における照明器具１の固定アングル１０の調整機構が固定されている状態を表す図であり、図５は、実施例１における照明器具１の固定アングル１０の調整機構が解放されている状態を表す図である。
【００１４】
固定アングル１０は、照明器具１の筐体３０を受けるために上方を開口したコ字状の受け台２１と、壁面や載置する地面等に対しボルトで固定するための土台１３とから構成されている。受け台２１と土台１３は、ボルトで構成された支軸１４により連結され、支軸を中心に受け台２１が回動することができる構造となっている
【００１５】
受け台２１は、図４に示すように上部をコ字状に形成された下端の両端には、角度調整片１１Ａと、支軸１４により土台１３に連結される角度調整片１１Ｂとを設けている。角度調整片１１Ａ，Ｂには孔が設けられており、その孔に操作部が貫通して挿入されている。操作部１２は円柱状に形成され、一端が折曲された取っ手となっており、他端には土台１３に設けられた嵌合孔２０と嵌合する突部１９が設けられている。突部１９から距離を離してＥリングで構成した抜け止め片２４が設けられ、抜け止め片２４は角度調整片１１Ａ，Ｂに設けられた孔や土台に設けられた嵌合孔２０より大きく形成されており、これらの孔から抜け出さないようになっている。
【００１６】
また、角度調整片１１Ａと角度調整片Ｂの間には、操作部１２に挿入されたバネ１６が設けられており、バネ１６はバネ固定片１７によってバネ固定片１７の位置から突部１９方向の移動を規制されている。
【００１７】
次に、土台１３は図４に示すように土台１３の下方は照明器具１を壁面や載置する地面等に対しボルトで固定するために水平方向に延設されている。また、土台１３に起立して設けられた起立片１５には、図３に示すように突部１９と嵌合する円状の嵌合孔２０が支軸１４を中心に弧状に７個配置されている。また、起立片１５は、角度調整片Ｂとの間で突部１９が嵌合孔２０から嵌合を解除できるだけの距離を離して設けられている。
【００１８】
（実施例１の角度調整機構）
図４及び図５に基づいて角度調整の作用を説明する。図４は、角度調整機構が固定されている状態を示している。角度調整機構は、操作部１２に挿入されているバネ１６の弾性力によって、操作部１２の突部１９が嵌合孔２０に嵌合する方向に付勢されており、角度調整が出来ない位置で固定されている。
次に、角度を調整する際には、図５に見られるようにバネの付勢に抗じて突部１９の嵌合が解除される位置まで操作部１２を移動させる。操作部１２を移動させることにより、支軸１４を中心に受け台２１を回動させることができるため、図３に見られるように所望する角度になるように嵌合孔２０を選択することができる。そして、所望する嵌合孔２０を選択し、角度を決めた後、操作部１２をバネ１６の弾性力に従い戻すことによって突部１９が嵌合孔２０に嵌合し、角度調整機構は回動できないように固定される。
【実施例２】
【００１９】
以下に本発明の実施例２を図６乃至図９に基づいて説明する。
図６は、実施例２における照明器具１の固定アングル６０が調整機構が固定されている状態を表す図であり、図７は、実施例２における照明器具１の固定アングル６０が調整機構が解放されている状態を表す図であり、図８（Ａ）は、実施例２における照明器具１の固定アングル６０が固定されている状態を表す固定アングルの断面図であり、図８（Ｂ）は、実施例２における照明器具１の固定アングル６０が解放されている状態を表す固定アングルの断面図であり、図９は、実施例２における照明器具１を側方から見た固定アングル６０の正面から見た図である。
【００２０】
固定アングル６０は、照明器具１の筐体３０を受けるために上方を開口したコ字状の受け台７１と、壁面や載置する地面等に対しボルトで固定するための土台６３とから構成されている。受け台７１と土台６３は、ボルトで構成された支軸６４により連結され、支軸を中心に受け台７１が回動することができる構造となっている
【００２１】
受け台７１は、図６に示すように上部をコ字状に形成され、コ字状の下端の一端には角度調整片６１が設けられている。図８に示すように角度調整片６１には孔が設けられており、その孔には操作部６２の一部である円柱状の胴体６７が、土台６３の嵌合孔７０まで貫通して挿入されている。
【００２２】
操作部６２は、円柱状の胴体６７の一端にＥリングで構成した抜け止め片２４が設けられ、抜け止め片７４は土台６３の嵌合孔７０に設けられた孔やより大きく形成されており、これらの孔から抜け出さないようになっている。また、他端には軸受け７３の孔や軸受けとの間に挿入されたバネ６６の直径より大きな片が突出しており、バネ６６が抜け出ないようになっている。また、胴体６７の途中には、コ字状に欠ききった凹部７２が設けられている。
【００２３】
次に、土台６３は図６に示すように土台６３の下方は照明器具１を壁面や載置する地面等に対しボルトで固定するために水平方向に延設され、土台固定孔７５が穿設されている。また、土台６３に起立して設けられた起立片６５には、図９に示すように操作部６２の円柱６７と嵌合する円状の嵌合孔７０が支軸６４を中心に５個配置されており、円状の下端は凹部７２より僅かに大きな大きさでそれぞれ溝状に連通している。そして、突起７６は、操作部が自由に移動できないように規制するために、下方に向け突出して設けられている。
【００２４】
（実施例２の角度調整機構）
図８及び図９に基づいて角度調整の作用を説明する。図８（Ａ）は、角度調整機構が固定されている状態を示している。角度調整機構は、操作部６２に挿入されているバネ６６の弾性力によって、操作部１２の円柱状の胴体６７が土台６３に設けられた嵌合孔７０に嵌合する方向に付勢されており、突起７６により胴体６７動方向に移動できないように規制されているので、角度調整が出来ない位置で固定される。
【００２５】
次に、角度を調整する際には、図８（Ｂ）に見られるようにバネの付勢に抗じて胴体１６７の嵌合が解除される位置まで操作部６２を押して移動させる。操作部６２の胴体６７に設けられた凹部７２は、突起７６に規制されない大きさに欠ききられているため、胴体６７は嵌合穴７０内を回動方向に移動することができる。それに伴い、支軸６４を中心に受け台２１を回動させることができるため、図９に見られるように所望する角度になるように嵌合孔２０を選択することができる。
【００２６】
そして、所望する嵌合孔７０を選択し、角度を決めた後、操作部６２をバネ６６の弾性力に従い戻すことによって胴体６７が嵌合孔７０に嵌合し、角度調整機構は回動できないように固定される。
【００２７】
以上における本実施例から把握される効果を以下に詳述する。
（１）本実施形態の照明器具１は、角度が変更可能なアングル１０が設けられているため、照明器具１の角度を変えて設置できるので、所望する方向に照明を照らすことができる。また、照明器具１の設置後にもアングル１０を取り外すことなく再度所望する角度に簡単に変更ができる。
【００２８】
（２）本実施形態の照明器具１は、付勢手段により絶えず付勢する方向に嵌合手段１９・６７が付勢されているので、簡単に嵌合手段１９・６７が外れることもなく回動動作が規制されているので、角度が自重により変わる心配もない。
【００２９】
（３）本実施形態の照明器具１は、操作部１２・６２は、絶えず嵌合穴２０・７０に嵌合する状態で付勢されているため、操作部１２の取っ手を引っ張るか若しくは操作部６２の突出した片を押すだけで、簡単に嵌合の解除ができ、所望する角度に容易な操作で角度が変更可能である。また、角度調整機構をコンパクトに構成することが出来る。
【００３０】
（４）本実施形態の照明器具１は、嵌合穴７０に複数の孔を設け、当該孔の一部を連通して溝状に設け、嵌合孔７０は、各孔の間に溝方向に突出した突起７６を設け胴体６７に凹状に突起７６の寸法より大きく欠ききった凹部７２を設け、凹部７２が突起７６の位置と交わるとき、胴体６７と嵌合孔７０との嵌合が解除され、受け台７１を回動移動させる角度調整機構を備えたので、容易な操作で角度が変更可能であるとともに、強固な嵌合状態となり、嵌合が外れることはなく角度調整機構をコンパクトに構成することができる。
【００３１】
（５）本実施形態の照明器具１は、嵌合穴２０・７０を円状や円弧状に設け、また操作部１２・６２の突部１９と胴体６７を円柱状に設けたため、突部１９や胴体６７と、嵌合孔２０・７０との嵌合が解除が引っ掛かることなくスムーズに行われ、容易な操作で角度が変更可能であるとともに、角度調整機構をコンパクトに構成することができる。
【００３２】
（６）本実施形態の照明器具１は、嵌合穴７０に下部を連通させた溝を円弧状に設け、操作部６２の胴体６７を円柱状に設けているため、胴体６７が嵌合孔７０の溝に沿って回動移動することが出来るので引っ掛かることなくスムーズに移動が行われ、容易な操作で角度が変更可能であるとともに、強度を保ちながらも角度調整機構をコンパクトに構成することができる。
【００３３】
（７）本実施例の照明器具１は、反射板４に設けられた反射片６が、ネオン管５に向かって反射板４の長手方向に沿って折り曲げられているので、光を集光して効率よく一定方向にネオン管５の光を反射させることができる。
【００３４】
（８）本実施例の照明器具１は、アングル１０が壁面から一定距離離間して筐体３０を固定しているため、配線の設置工事がし易くなると共に、壁面に熱が伝わったり、照明器具１内に熱が籠もりやすくなることもない。また、角度調整もし易くなった。
【００３５】
（９）本実施例の照明器具１は、アングル１０が壁面への固定箇所を含め筐体３０の長手寸法内に納められているため、隙間無く横方向に連結して設置することができるようになった。そのため見栄えが良く設置することができるようになった。
【００３６】
（他の実施形態への変更例）
以上説明した実施形態を他の実施形態へ変更した例を以下に示す。
・弾性部材について渦巻きバネ１６・６６を使用したが、板バネやゴムやプラスチック等又は油圧機構等の付勢する機能を持っているものであればよい。
・本実施形態では、角度調整機構を２箇所に設けて説明したが、１箇所であっても良く、また長さや強度に合わせ３個以上設けるものであっても良い。
・本実施形態では、支軸１４・６４を下に設け、その上に嵌合孔２０・７０を設けたが、特に実施例に限定されることなく、例えば、図１０に示すように支軸１４・６４を上に設け、その下に嵌合孔２０・７０を設け、位置を上下逆となる構造であっても良い。嵌合孔２０・７０の位置を下にすることにより操作部１２・６２の操作がし易くなり、高さを取ることも出来る。受け台２１・６１に、付勢手段１６・６６を含む操作部１２・６２を記載して説明したが、他の実施例として土台１３・６３に付勢手段１６・６６を含む操作部１２・６２を設ける構造であって良い。角度調整機構は、実施例１及び２と同様の作用及び機構であり、同じ記号が付してあるので説明は省略する。
【図面の簡単な説明】
【００３７】
【図１】照明器具１を載置し上方を照らしている状態を表した図である。
【図２】実施例１における照明器具を側面から見た左側面図である。
【図３】実施例１における照明器具を側面から見た右側面図である。
【図４】実施例１における照明器具の固定アングルの角度調整機構の嵌合が固定されている状態を表す図である。
【図５】実施例１における照明器具の固定アングルの角度調整機構の嵌合が解放されている状態を表す図である。
【図６】実施例２における照明器具の固定アングルの角度調整機構の嵌合が固定されている状態を表す図である。
【図７】実施例２における照明器具の固定アングルの角度調整機構の嵌合が解放されている状態を表す図である。
【図８】（Ａ）実施例２における照明器具の固定アングルの角度調整機構の嵌合が固定されている状態を表す固定アングルの断面図である。（Ｂ）実施例２における照明器具１の固定アングルの角度調整機構の嵌合が解放されている状態を表す固定アングルの断面図である。
【図９】実施例２における照明器具を側方から見た固定アングルを表す図である。
【図１０】（Ａ）実施例１における他の実施例における照明器具の固定アングルの角度調整機構の嵌合が固定されている状態を表す固定アングルの断面図である。（Ｂ）実施例２における他の実施例における照明器具の固定アングルの角度調整機構の嵌合が固定されている状態を表す固定アングルの断面図である。
【符号の説明】
【００３８】
１・・・照明器具、４・・・反射板、５・・・ネオン管、６・・・把持具、
７・・・ネオン管器具固定ビス、８・・・配線止め、９・・・ネオン管器具固定孔、
１０・６０・・・角度調整機構としての固定アングル、１１・６１・・・角度調整片、
１２・６２・・・操作部、１３・６３・・・土台、１４・６４・・・支軸、
１５・６５・・・起立片、１６・６６・・・付勢手段としてのバネ、
１７・・・バネ固定片、１８・６８・・・筐体固定孔、
１９・６９・・・嵌合手段としての突部、
２０・７０・・・嵌合孔、２１・７１・・・受け台、２４・７４・・・抜け止め片、
３０・・・筐体、
６７・・・嵌合手段としての胴体、７２・・・凹部、
７３・・・軸受け、７５・・・土台固定孔、７６・・・突起手段としての突起。